(57)【要約】【課題】既設の柵受けパイプに改造を要せず、ワンタッチで着脱動作を実現し、高い抜き止め力を有し、更には、柵受けパイプへの負荷が少ないベッドの側柵を提供する。【解決手段】芯材３５は上端から下端にかけて横断面が大きくなるように傾斜した傾斜面３５３を有し、更に各傾斜面３５３にはＶ溝が加工され、その上に球部材４１が載置される。下段部４３１には球部材４１の径よりも小さな径の円孔４３３が形成される。上段部４３５と心棒３１の上段部３１５との間には圧縮コイルバネ４５が配設され、操作部３３を鉛直上方に付勢する。柵受け部２１に挿入するときは、柵受け部２１と球部材４１との間のクリアランスによって、操作部３３を操作しなくても自然に挿入できる。側柵１を柵受け部２１から引き抜くときは、操作部３３を下方に押すことで、柵受け部２１と球部材４１との間にクリアランスができ、引き抜きできる。【選択図】図３
2009165502.tif 000002
【特許請求の範囲】
【請求項１】
ベッドに固定された円筒状の柵受け部に、挿脱可能に取り付けられる側柵において、
柵本体と、
この柵本体の下部に設けられ前記柵受け部に係合して前記柵本体を支持する支持部と、
を有し、
前記支持部は、
筒状をなして前記柵受け部に挿入される挿入部と、
前記挿入部内に長手方向を前記挿入部の長手方向と一致させて上下動可能に配置された心棒と、
前記心棒の上昇又は下降により前記柵受け部の下部に係合して前記支持部を前記柵受け部に係止させる係合部と、
を有することを特徴とするベッドの側柵。
【請求項２】
前記係合部は、
前記心棒の下部に設けられ横断面が下方にいくほど大きくなる芯材と、
前記挿入部に形成された孔と、
一部が前記孔から露出するように前記挿入部内に配置され前記芯材の側面に接触する球部材と、
を有し、
前記心棒が上昇して前記芯材が上方に移動すると前記球部材は前記芯材により前記孔から外方に押圧されることを特徴とする請求項１に記載のベッドの側柵。
【請求項３】
前記係合部は、
前記挿入部内で揺動可能に軸支されると共に、前記心棒の下部に回転可能に連結された係止片と、
前記挿入部に形成された孔と、
を有し、
前記係止片は揺動して前記孔から外方に突出することができ、前記心棒が下降したときに前記係止片が前記挿入部内に退入することを特徴とする請求項１に記載のベッドの側柵。
【請求項４】
前記係合部は、
前記心棒の上部に設けられた操作部と、
前記心棒を上方に付勢する弾性部材と、
を有することを特徴とする請求項２又は３に記載のベッドの側柵。
【請求項５】
前記係合部は、
前記心棒の下部に設けられた係止部と、
前記挿入部の下部に設けられ上下方向に延びる複数のスリットが周方向に配置された膨出部と、
を有し、
前記心棒が上昇して前記係止部が前記膨出部の下端を係止しこれを上方に押圧することにより、前記膨出部が前記挿入部の径方向に膨らむことを特徴とする請求項１に記載のベッドの側柵。
【請求項６】
前記係合部は、
上下端部が大径で中間部が縮径されており上端部が前記挿入部の下端部に固定され下端部が前記挿入部の下端縁から挿入部の径方向外方に突出することができる円筒状の拡開部を有し、
前記心棒が下降したときに、前記拡開部の内部に挿入され、前記拡開部を内側から外側に向けて押圧することにより、前記拡開部を径方向の外方に拡げることを特徴とする請求項１に記載のベッドの側柵。
【請求項７】
前記係合部は、
前記心棒の上部に設けられた操作部を有し、
前記操作部は、
前記心棒を上方に引き上げてその状態を保持することができるレバーを有することを特徴とする請求項５又は６に記載のベッドの側柵。
【請求項８】
前記係合部は、
前記心棒を前記挿入部内で前記挿入部の中心軸に対して偏心した状態で保持する保持部と、
前記挿入部よりも下方にて前記心棒の下端部に固定され前記心棒がその中心軸の回りに回転したときに特定の回転角度範囲において前記挿入部の径方向外方に突出する偏芯部材と、を有することを特徴とする請求項１に記載のベッドの側柵。
【請求項９】
前記係合部は、
前記心棒の上端部に設けられた操作部を有することを特徴とする請求項８に記載のベッドの側柵。
【発明の詳細な説明】
【技術分野】
【０００１】
本発明は、介護用ベッド又は就寝用ベッドの側部に設置されるベッドの側柵に関する。なお、本発明において、ベッドというときは、車椅子等のベッドに準じる設備も含むものとする。
【背景技術】
【０００２】
従来、医療機関又は家庭で使用される介護用ベッド又は就寝用ベッドにおいては、ベッド上に横臥した患者がベッドから落下しないように、ベッドのフレーム等の構造物に、側柵が設置されている。このベッドの側柵は、医師及び看護師等が医療行為を行うときには邪魔になるので、フレームから取り外す必要がある。また、患者がベッドから降りたり、ベッドに横たわるときにも、側柵は邪魔になるのでフレームから取り外す必要がある。このため側柵は、取り外しが容易である必要があり、従来の側柵は、ベッドフレームに円筒状の柵受け部を設置し、この柵受け部に柵本体に固定された円筒状の挿入部を挿入するだけで、ベッドの側部に取り付けられていた。
【０００３】
しかしながら、このような側柵は、側柵を持ち上げただけで極めて容易に抜けてしまうという問題点を有する。このため、被介護者が側柵につかまって立ち上がろうとした場合、介護者等が被介護者を介護するために側柵を掴んだ場合等において、意図せずに側柵が抜けてしまうことがあり、安全性の観点から、側柵の抜け止め構造が要望されている。
【０００４】
この抜け止め構造として、凹凸（又は爪等）で引っ掛ける方法若しくは摩擦でとめる方法、又は下方向からネジ若しくはクリップ等の別部品で固定する方法が考えられる。凹凸で引っ掛ける方法の場合、柵が差し込まれる側（柵受けパイプ）にも抜け止め構造が必要となる。摩擦でとめる方法の場合は、摩擦の作用方向と直交する圧力の大きさが抜け止め力を満たす条件（圧力）を常に柵受けパイプに与えるため、柵受けパイプの強度がもたず変形してしまう。下方向から別部品で固定する方法は、別パーツとなることの管理上の問題と固定操作時の手間の問題がある。
【０００５】
例えば、ベッドの側柵に抜け止め構造を有する発明として、ベッドフレームに突設された保持部材に側柵の脚部を係止させる技術が特許文献１に開示されている。
【０００６】
【特許文献１】特許第３６９４６３１号公報
【発明の開示】
【発明が解決しようとする課題】
【０００７】
特許文献１に開示されているベッド側柵係止技術では、側柵において所定の径を有する脚部を嵌合させるため、脚部の径に適合する孔を有する保持部材が必要となり、既設のベッドにこの保持部材を設ける改造が必要である。従って、既設のベッドに取り入れるには別部品を余計に必要とし、コストを要する。
【０００８】
本発明はかかる問題点に鑑みてなされたものであって、既設の柵受けパイプに改造を要せず、ワンタッチで着脱動作を実現し、また、側柵を抜く方向の力に対し、高い抜き止め力を有し、更には、柵受けパイプへの負荷が少ない、ベッドの側柵を提供することを目的とする。
【課題を解決するための手段】
【０００９】
本発明に係るベッドの側柵は、ベッドに固定された円筒状の柵受け部に、挿脱可能に取り付けられる側柵において、柵本体と、この柵本体の下部に設けられ前記柵受け部に係合して前記柵本体を支持する支持部と、を有し、前記支持部は、筒状をなして前記柵受け部に挿入される挿入部と、前記挿入部内に長手方向を前記挿入部の長手方向と一致させて上下動可能に配置された心棒と、前記心棒の上昇又は下降により前記柵受け部の下部に係合して前記支持部を前記柵受け部に係止させる係合部と、を有することを特徴とする。
【００１０】
例えば、前記係合部は、前記心棒の下部に設けられ横断面が下方にいくほど大きくなる芯材と、前記挿入部に形成された孔と、一部が前記孔から露出するように前記挿入部内に配置され前記芯材の側面に接触する球部材と、を有し、前記心棒が上昇して前記芯材が上方に移動すると前記球部材は前記芯材により前記孔から外方に押圧されるようにしてもよい。
【００１１】
又は、前記係合部は、前記挿入部内で揺動可能に軸支されると共に、前記心棒の下部に回転可能に連結された係止片と、前記挿入部に形成された孔と、を有し、前記係止片は揺動して前記孔から外方に突出することができ、前記心棒が下降したときに前記係止片が前記挿入部内に退入するようにしてもよい。
【００１２】
これらの係合部は、前記心棒の上部に設けられた操作部と、前記心棒を上方に付勢する弾性部材と、を有することが好ましい。
【００１３】
又は、前記係合部は、前記心棒の下部に設けられた係止部と、前記挿入部の下部に設けられ上下方向に延びる複数のスリットが周方向に配置された膨出部と、を有し、前記心棒が上昇して前記係止部が前記膨出部の下端を係止しこれを上方に押圧することにより、前記膨出部が前記挿入部の径方向に膨らむようにしてもよい。
【００１４】
更に、前記係合部は、例えば、上下端部が大径で中間部が縮径されており上端部が前記挿入部の下端部に固定され下端部が前記挿入部の下端縁から挿入部の径方向外方に突出することができる円筒状の拡開部を有し、前記心棒が下降したときに、前記拡開部の内部に挿入され、前記拡開部を内側から外側に向けて押圧することにより、前記拡開部を径方向の外方に拡げるように構成することができる。
【００１５】
前記係合部は、前記心棒の上部に設けられた操作部を有し、前記操作部は、前記心棒を上方に引き上げてその状態を保持することができるレバーを有することが好ましい。
【００１６】
更にまた、前記係合部は、前記心棒を前記挿入部内で前記挿入部の中心軸に対して偏心した状態で保持する保持部と、前記挿入部よりも下方にて前記心棒の下端部に固定され前記心棒がその中心軸の回りに回転したときに特定の回転角度範囲において前記挿入部の径方向外方に突出する偏心部材と、を有するように構成することができる。
【００１７】
この場合に、前記係合部は、前記心棒の上端部に設けられた操作部を、有するように構成することが好ましい。
【発明の効果】
【００１８】
本発明によれば、抜け止め防止機能を有する側柵をベッドに設置するときには、ベッド本体側には一般的に設けられている既設の円筒状の柵受け部のみがあれば良く、ベッド本体側の改造が不要であるので、種々のベッドに対して、本発明の側柵を汎用的に取り付けることができる。そして、この取付に際しては、側柵の挿入部を柵受け部に挿入するだけで、又は、挿入後レバーを倒すだけで、この挿入部と柵受け部とを挿入部が抜けないように固定することができる。また、側柵を取り外す際には、操作部を引いたり、レバーを戻したりするだけで、挿入部と柵受け部との係合を解除して、側柵を取り外すことができるので、極めて容易に側柵を取り外すことができる。
【発明を実施するための最良の形態】
【００１９】
本発明に係る側柵１は既設ベッド２に一般的に備え付けられている円筒状の柵受け部２１に取り付けることができるものである。以下に各実施形態における側柵１の支持部３について説明する。
【００２０】
（第１実施形態）
以下、本発明の第１実施形態に係るベッドの側柵について、図１乃至図４を参照して説明する。側柵１は柵本体１ａと、この柵本体１ａの下部に設けられた支持部３とを有する。ベッドのフレーム２には、２個の円筒状の柵受け部２１がその軸方向を垂直にして固定されている。この柵受け部２１は単純な円筒である。支持部３の挿入部４３は円筒状をなし、その下半部が柵受け部２１に挿入される。これにより、支持部３は柵本体１ａを支持し、側柵１がフレーム２に立設される。また、挿入部４３の上部には、操作部３３が設けられている。また、支持部３の心棒３１が挿入部４３内にその長手方向を挿入部４３の長手方向と一致させて上下動可能に配置されている。更に、この心棒３１の下部には、心棒３１の上昇又は下降により柵受け部２１に係合して支持部３を柵受け部２１に係止させる係合部４が設けられている。
【００２１】
次に、支持部３の構成について説明する。図２は支持部３の各構成部材の分解斜視図、図３は組立後の支持部３を示す断面斜視図である。支持部３の挿入部４３は円筒状をなし、上段部４３５は下段部４３１よりも若干直径が大きく、挿入部４３の上段部４３５と下段部４３１との中間に段差４３２が形成されている。この挿入部４３は下段部４３１の外径が柵受け部２１の内径より小さく、上段部４３５の外径は柵受け部２１の内径より大きい。従って、挿入部４３は下段部４３１が柵受け部２１に挿入され、段差４３２が柵受け部２１の上端縁に係止される。挿入部４３内には、心棒３１がその長手方向（軸方向）を挿入部４３の長手方向と同一になるように、挿入部４３内に配置されている。心棒３１は中間部３１１が最も直径が大きく、下段部３１３及び上段部３１５は直径が中間部３１１よりも若干小さい。よって、心棒３１の下段部３１３と中間部３１１との間には、段差３１２が形成されている。
【００２２】
心棒３１の上段部３１５には弾性部材として圧縮コイルバネ４５が外嵌されており、更に上段部３１５の上端部には、操作部３３が固定されている。また、心棒３１の下段部３１３の下端部には、係合部４の芯材３５が固定されている。上段部３１５の上部はネジが形成された螺棒となっており、下段部３１３の下部もネジが形成された螺棒となっている。そして、操作部３３に形成された中心孔３３１の下部にも雌ネジが形成され、心棒３１の上部螺棒の部分を、操作部３３の雌ネジの部分に螺合することにより、心棒３１と操作部３３とが連結されている。芯材３５の中心孔３５１は透孔であり、この中心孔３５１の直径は心棒３１の下段部３１３の直径より大きいが、中間部３１１の直径より小さい。従って、この中心孔３５１に心棒３１の下段部３１３を挿通すると、芯材３５の上端は心棒３１の段差３１２に当接し、この状態で心棒３１の下段部３１３は芯材３５から下方に突出する。そして、芯材３５から下方に突出した下段部３１３の螺棒の部分に、ワッシャ３７を介して袋ナットを螺合することにより、芯材３５は段差３１２と袋ナット３９とにより挟持され、心棒３１の下段部３１３を外嵌するようにして心棒３１に固定される。
【００２３】
芯材３５はその横断面の大きさが、下方になるほど大きくなるものであり、挿入部４３の下段部４３１には３個の円孔４３３が円周方向の３等配の位置に形成されていて、この円孔４３３に嵌合するようにして、３個の球部材４１が芯材３５と挿入部４３の内面との間に配置されている。
【００２４】
芯材３５は基本的には円錐台状をなしているが、その周面には長手方向に延びる３本のＶ字状の溝が周方向に配置されている。球部材４１はその転がりが案内されるようにこのＶ溝上に載置される。なお、挿入部４３は上段部４３５と下段部４３１との異径２段で構成されるとしたが、この段差は圧縮コイルバネ４５の座りを得るため、又は柵受け部２１の上端に上段部４３５を載置させるためのものであり、例えば、圧縮コイルバネ４５の座りとして中心に孔を有する板材を内設させる等、同径で構成してもよい。
【００２５】
次に、本実施形態におけるベッドの側柵の動作について図４を用いて説明する。図４は支持部３のＶ溝傾斜面３５３を含む一断面を示す概念図である。始めに、図４（ａ）に示すように、通常状態では圧縮コイルバネ４５は操作部３３を介して、操作部３３に接続した心棒３１、心棒３１に接続した芯材３５を上方に付勢する。このとき球部体４１はＶ溝傾斜面３５３の大径部上に位置することになるため、円孔４３３から突出する。この状態で側柵１とベッドフレーム２に設けられた柵受け部２１との嵌合を維持する。
【００２６】
側柵１をベッドフレーム２に設けられた柵受け部２１に挿入するときは、球部体４１が傾斜面３５３の小径方向に回転するように柵受け部２１から摩擦が加わり、芯材３５を小径方向に導くために柵受け部２１と球部体４１との間にクリアランスができ、操作部３３を操作しなくても自然に挿入できる。また、側柵１をベッドフレーム２に設けられた柵受け部２１から引き抜くときは、図４（ｂ）に示すように、操作部３３を圧縮コイルバネ４５の付勢方向と逆方向の下方に押すことで、球部体４１はＶ溝傾斜面３５３の小径部上に位置することになり、径方向にクリアランスができる。このクリアランスによって側柵１はベッドフレーム２に設けられた柵受け部２１から引き抜き可能となる。もし、意図とせずに側柵１を引き抜く方向に力が加わったとしても、操作部３３に触れていなければ、図４（ａ）に示すように球部体４１が傾斜面３５３の大径方向に回転し、芯材３５を大径方向に導き、球部体４１を更に円孔４３３から突出させ、更に強く柵受け部２１へ摩擦が加わるために抜けを防止できる。
【００２７】
Ｖ溝傾斜面を円周に３面、球部体４１を３個設ける実施形態を説明したが、心棒の昇降動作、球部体４１と円孔４３３の係合が安定できれば、この数に限定せず、例えば、芯材３５は単に円錐台の形状としても良い。
【００２８】
（第２実施形態）
次に、本発明の第２実施形態について説明する。図５はこの第２実施形態のベッドの側柵における支持部５の形状を示す。円筒状の挿入部４３内には同心的に心棒３１が配置され、この心棒３１の下端部近傍の挿入部４３には係止孔４３７が形成されている。挿入部４３の内部の係止孔４３７の近傍には、円板の一部が一方向に延出した形状の係止片５１がその円板部の中心で挿入部４３に揺動軸５３によって揺動可能に軸支されている。また、係止片５１はピン５５により、心棒３１の下端部に回転可能に連結されている。これによって係止片５１は心棒３１の上下動作に伴って揺動軸５３を中心として揺動する。また、挿入部４３には、係止孔４３７が設けられ、係止片５１の回転に従い、係止片５１の一部が係止孔４３７から突出又は退入される。また、心棒３１の上端には球体状の操作部３３が設けられ、挿入部４３内の上部にしきい板４３９が設置され、しきい板４３９上に設けられた圧縮コイルバネ４５が操作部３３を上方へ付勢している。この圧縮コイルバネ４５の付勢が係止片５１に係止孔４３７から突出する方向の回転力を与え、自然状態で係止片５１は係止孔４３７から突出している。この突出状態の係止片５１は、挿入部４３に対して下面は傾斜し、上面は直交した状態で係止孔４３７に当接する。
【００２９】
このようにすれば、側柵１をベッドフレーム２の柵受け部２１に挿入するときは、下面が挿入部４３に対して傾斜しているために、自動的に係止片５１が挿入部４３内に収まり、柵受け部２１を有する筒の下端を係止片５１が過ぎると、圧縮コイルバネ４５の付勢によって自動的に係止片５１は挿入部４３から突出し、柵受け部２１を有する筒の下端を支持する。側柵１をベッドフレーム２の柵受け部２１から抜き出すときは、操作部３３を下に押すことで、係止片５１は図５（ｂ）に二点鎖線で示すように挿入部４３内に収まり、側柵１をベッドフレーム２から引き抜くことができる。なお、操作部３３は球体状としたが、圧縮コイルバネ４５を支持する形状であればよく、例えば第１実施形態のような板状等でも構わない。
【００３０】
（第３実施形態）
次に、本発明の第３実施形態について説明する。図６はこの第３実施形態のベッドの側柵における支持部７の形状を示す。円筒状の挿入部４３内には同心的に心棒３１が配置され、この心棒３１の下端は凸状の係止部６１を挿通し、円板状の下端部６３と接続する。係止部６１は、合成樹脂で成形され、下端部６３上に設置される。膨出部６５は挿入部４３と係止部６１に挟持されるように配置される。膨出部６５は弾性金属から構成され、略円筒状に形成され、挿入部４３と接続する上端の面の径が下端の面の径より大きく、上端から長軸方向に切れ目（スリット）６５１が周方向に配置されている。また、心棒３１の上端側は操作レバー６７と連結軸６７１で回動可能に連結される。基枠６９は操作レバー６７を支持し、挿入部４３は上端で基枠６９と接続する。
【００３１】
次に、操作レバー６７について説明する。挿入部４３の頂部において、基枠６９は挿入部４３の頂部の開口面を閉止する。基枠６９の形状は鉛直断面において略Ｌ字形、水平断面においてコの字形の枠体である。連結軸６７１は、基枠６９上において、操作レバー６７と心棒３１の上端部とを回動可能に連結しており、連結軸６７１と、操作レバー６７が鉛直状態の際に基枠６９底部と接する面６７３との距離Ｌ１に比較して、操作レバー６７が水平状態の際に基枠６９底部と接する面６７５との距離Ｌ２を大とされている。鉛直状態にある操作レバー６７を水平状態に変位操作する。そうすると、操作レバー６７は、基枠６９の底部と接する面が、鉛直状態の際に接する面６７３から水平状態の際に接する面６７５に移行する。この場合、鉛直状態の際に接する面６７３と、連結軸６７１との間の距離をＬ１、水平状態の際に接する面６７５と、連結軸６７１との間の距離をＬ２とすると、Ｌ１＜Ｌ２であるので、操作レバー６７を水平状態とすることで、軸３１は、軸方向に（Ｌ２−Ｌ１）だけ、引き上げられる。なお、操作レバー６７の基枠６９の底部と接する面６７３と面６７５との間は、基枠６９の底部に円滑に接触しつつ、操作レバー６７を操作することができるように円弧状に面取りされている。
【００３２】
上述のように、操作レバー６７を水平状態（図６（ｂ））とすることにより、心棒３１が引き上げられた距離（Ｌ２−Ｌ１）分、挿入部４３と係止部６１との間の距離が縮まることとなり、膨出部６５は係止部６１から上端側に押圧される。膨出部６５はスリット６５１が形成されているため、容易に曲折し、膨出部６５が径方向に拡大する。これによって、膨出部６５がベッドフレーム２の柵受け部２１の内壁を押圧し、脱離しないように固定されることとなる。なお、心棒３１を上下させる機構は、操作レバー６７に限らず、例えば、図５に示すようなばねを利用した操作部３３を用いてもよい。このとき、自然時には膨出部６５が径方向に拡大した状態となり、操作部３３を押したときに膨出部６５が収縮するようにできる。
【００３３】
（第４実施形態）
次に、本発明の第４実施形態について説明する。図７はこの第４実施形態のベッドの側柵における支持部８の形状を示す。円筒状の挿入部４３内には同心的に心棒３１が配置され、この心棒３１の下端近傍に拡開部７５が配置されている。拡開部７５は合成樹脂で成形され、中空で、断面が略鼓状（円筒状で、上下端部の径と比べて中間部の径が小さい形状）に形成され、上端部が挿入部４３の内壁に固定されている。図に示すように、挿入部４３は下端に小孔部４３８を有し、拡開部７５は、拡開部７５の最小径部が挿入部４３の小孔部４３８に位置するように配置される。また、心棒３１の上端側は操作レバー６７と連結軸６７１で回動可能に連結される。挿入部４３は上端で基枠６９と接続し、基枠６９は操作レバー６７を支持する。操作レバー６７の構造については第３実施形態で用いたものと同一のものとして説明を省略する。
【００３４】
このようにすれば、操作レバー６７を水平状態（図７（ｂ））にすることにより、引き上げられた距離（Ｌ２−Ｌ１）分、心棒３１は上昇し、拡開部７５は心棒３１からの押圧から開放され、拡開部７５の端部は収縮する。これによって、ベッド２の柵受け部２１から取り外すことができる。次に、操作レバー６７を鉛直状態（図７（ａ））にすることにより、引き下げられた距離（Ｌ２−Ｌ１）分、心棒３１は下降し、拡開部７５の内部に挿入され、内側から押圧する。心棒３１からの押圧によって、拡開部７５の端部は外に拡がり、ベッドフレーム２の柵受け部２１の内壁を押圧し、脱離しないように固定されることとなる。なお、心棒３１を上下させる機構は、操作レバー６７に限らず、例えば、図５に示すようなばねを利用した操作部３３を用いてもよい。ただし、このとき、ばねは圧縮ばねではなく、引張ばねを用いることで、自然時には拡開部７５の端部を拡げた状態となり、操作部３３を引き上げたときに拡開部７５の端部が収縮するようにできる。
【００３５】
（第５実施形態）
次に、本発明の第５実施形態について説明する。図８はこの第５実施形態のベッドの側柵における支持部９の形状を示す。円筒状の挿入部４３内には、挿入部４３に対し偏心して心棒３１が配置され、この心棒３１の下端は挿入部４３の下端から突出し、偏心部材８５が固定されている。偏心部材８５は心棒３１に対して偏心した位置で固定されている。また、心棒３１の上部には雄ネジが形成され、挿入部４３の上部に設けられ、雌ネジが加工された保持部８９を中心に回転する。心棒３１の上端は操作部８７と接続し、操作部８７を回転させることによって、心棒３１に接続された偏心部材８５は偏心回転をする。偏心部材８５はこの偏心回転運動によって挿入部４３の径方向に対して突出（図８（ａ））、退入（図８（ｂ））できる。心棒３１の中心から偏心部材８５の最長距離Ｌ４が心棒３１の中心から挿入部４３の最長距離Ｌ３よりも小さければ、挿入部４３の径内に偏心部材８５を収めることができ、ベッドフレーム２の柵受け部２１内に挿入部４３を挿入することができる。
【００３６】
動作としては、ベッドフレーム２の柵受け部２１を有する筒の下端を偏心部材８５が挿通するのを確認した後に操作部８７を回転させ、偏心部材８５を柵受け部２１を有する筒から突出させ、柵受け部２１を有する筒に係止させることで、側柵１の抜けを防止することができる。また、柵受け部２１の内部に偏心部材８５を位置させた状態で操作部８７を回転させ、偏心部材８５と柵受け部２１の接触面に生じる摩擦力によって側柵１の抜けを防止してもよい。
【００３７】
なお、心棒３１の回転は保持部８９との螺合部によってされるものに限定せず、軸受等を用いて心棒３１を回転させてもよい。他には、図５に示すような係止孔４３７を挿入部４３に設け、係止孔４３７から偏心部材８５を突出させるようにし、偏心部材８５を挿入部４３内に配設してもよい。
【００３８】
以上、本発明の実施形態について説明したが、設計上の都合又はその他の要因によって必要となる様々な修正若しくは組み合わせは、請求項に記載されている発明及び発明の実施形態に記載されている具体例に対応する発明の範囲に含まれると理解されるべきである。
【図面の簡単な説明】
【００３９】
【図１】側柵と第１実施形態に係る支持部を示す模式図である。
【図２】第１実施形態に係る支持部の分解図である。
【図３】第１実施形態に係る支持部の組立図である。
【図４】第１実施形態に係る支持部の（ａ）は固定状態を示した図である。（ｂ）は着脱状態を示した図である。
【図５】第２実施形態に係る支持部の（ａ）は正面視の模式図である。（ｂ）は側断面図である。
【図６】第３実施形態に係る支持部の（ａ）は着脱状態を示した断面図である。（ｂ）は固定状態を示した断面図である。
【図７】第４実施形態に係る支持部の（ａ）は固定状態を示した断面図である。（ｂ）は着脱状態を示した断面図である。
【図８】第５実施形態に係る支持部の（ａ）は固定状態を示した断面図である。（ｂ）は着脱状態を示した断面図である。
【符号の説明】
【００４０】
１    側柵
２    ベッド、ベッドフレーム
３，５，７，８，９  支持部
３１  心棒
３３  操作部
３５  芯材
４１  球部体
４３  挿入部
４３３  円孔
４３７  係止孔
４５  圧縮コイルバネ
５１  係止片
６１  係止部
６５  膨出部
６７  操作レバー
７５  拡開部
８５  偏心部材
８７  操作部
【図１】
2009165502.tif 000003
【図２】
2009165502.tif 000004
【図３】
2009165502.tif 000005
【図４】
2009165502.tif 000006
【図５】
2009165502.tif 000007
【図６】
2009165502.tif 000008
【図７】
2009165502.tif 000009
【図８】
2009165502.tif 000010